(57)【要約】【課題】  電極として用いた場合に複数の生体情報を同時に計測することができる感圧導電糸を提供する。【解決手段】  弾性糸からなる芯糸２に導電性を有する巻糸４，６を巻き付けてなる感圧導電糸１であって、巻糸４，６は、導電性繊維と非導電性繊維とを混紡することにより、伸縮に応じて電気抵抗値が変化する。  【選択図】  図１
2010099327.tif 000002
【特許請求の範囲】
【請求項１】
弾性糸からなる芯糸に導電性を有する巻糸を巻き付けてなる感圧導電糸であって、
前記巻糸は、導電性繊維と非導電性繊維とを混紡することにより、伸縮に応じて電気抵抗値が変化する感圧導電糸。
【請求項２】
前記巻糸は、前記芯糸に２重に巻き付けられており、１重目と２重目の巻き方向が逆方向である請求項１に記載の感圧導電糸。
【請求項３】
非導電性材料からなる被服に対し、身体に密着するように配置された電極を備える生体情報測定用被服であって、
前記電極は、請求項１または２に記載された感圧導電糸を用いて形成されている生体情報測定用被服。
【請求項４】
前記電極の出力信号から、心拍信号及び呼吸信号を同時に抽出可能である請求項３に記載の生体情報測定用被服。
【発明の詳細な説明】
【技術分野】
【０００１】
本発明は、感圧導電糸および生体情報測定用被服に関する。
【背景技術】
【０００２】
健康状態を把握する上で、呼吸や心拍などの生体情報は重要な指標となるが、従来の生体信号の計測は、ゲルを用いた電極の貼り付けや呼気バンドの巻き付けなどが必要であり、身体への拘束感が大きなものとなっていた。
【０００３】
そこで、このような拘束感を軽減して日常的な健康管理を容易にするため、衣服に電極を装着して、自然な状態で生体情報を計測可能にすることが検討されている。例えば、特許文献１には、導電性糸からなる電極を衣服などに設けて、脈拍信号を検出することが開示されている。
【特許文献１】特表２００５−５２５４７７号公報
【発明の開示】
【発明が解決しようとする課題】
【０００４】
ところが、従来の導電性糸からなる電極は、検出信号から１種類の生体情報しか得られないため、例えば、脈拍信号以外に呼吸信号など他の生体情報を同時に計測したい場合には、新たな電極を設ける必要があり、装用感やコスト面での問題を生じるおそれがあった。
【０００５】
そこで、本発明は、電極として用いた場合に複数の生体情報を同時に計測することができる感圧導電糸の提供を目的とし、更には、このような感圧導電糸を備える生体情報測定用被服の提供を目的とする。
【課題を解決するための手段】
【０００６】
本発明の前記目的は、弾性糸からなる芯糸に導電性を有する巻糸を巻き付けてなる感圧導電糸であって、前記巻糸は、導電性繊維と非導電性繊維とを混紡することにより、伸縮に応じて電気抵抗値が変化する感圧導電糸により達成される。
【０００７】
この感圧導電糸において、前記巻糸は、前記芯糸に２重に巻き付けられており、１重目と２重目の巻き方向が逆方向であることが好ましい。
【０００８】
また、本発明の前記目的は、非導電性材料からなる被服に対し、身体に密着するように配置された電極を備える生体情報測定用被服であって、前記電極は、上述した感圧導電糸を用いて形成されている生体情報測定用被服により達成される。
【０００９】
この生体情報測定用被服は、例えば、前記電極の出力信号から、心拍信号及び呼吸信号を同時に抽出可能である。
【発明の効果】
【００１０】
本発明の感圧導電糸によれば、電極として用いた場合に複数の生体情報を同時に計測することができる。
【発明を実施するための最良の形態】
【００１１】
以下、本発明の実態形態について添付図面を参照して説明する。
【００１２】
＜感圧導電糸＞
図１は、本発明の一実施形態に係る感圧導電糸の概略構成図である。図１に示すように、感圧導電糸１は、ポリウレタンなどの弾性糸からなる芯糸２に、巻糸４，６が２重に巻き付けられており、１重目の巻糸４の巻き方向に対し、２重目の巻糸６の巻き方向が逆方向となるように構成されている。感圧導電糸１の製法については、従来のダブルカバリング糸と同様である。
【００１３】
巻糸４，６は、ステンレスなどの導電性繊維と、ポリエステルなどの非導電性繊維とを混紡することにより得られたものであり、例えば、特開２００３−２０５３８号公報に開示されたものを好ましく用いることができる。このような構成を有する巻糸４，６は、張力が大きくなると、導電性繊維の密度が高くなることによって電気抵抗値が低くなる一方、張力が小さくなると、導電性繊維の密度が低くなって電気抵抗値が高くなる。すなわち、巻糸４，６に作用する張力の変化により、電気抵抗値が変化する性質を有している。
【００１４】
図２は、巻糸に作用させる張力（荷重）と抵抗値の関係を、一例として示す図であり、５本の巻糸について実際に測定した結果を示している。巻糸には、混紡率がポリエステル繊維７０％、ステンレス繊維３０％のものを使用し、長さ３００ｍｍの巻糸の先端に重りを吊るしたときの巻糸の抵抗値の変化を、図３に示す計測回路を用いて測定した。図３において、ＶＣＣは定電圧（５Ｖ）、Ｒ１は金属皮膜抵抗（１ｋΩ）、Ｒｘは測定対象となる巻糸の抵抗であり、ＶＣＣをＲ１及びＲｘで分圧したときの出力電圧Ｖｏｕｔから、Ｒｘの抵抗値を算出した。重りには水を使用し、５ｇずつ１５０ｇまで増加させた。また、Ｖｏｕｔの計測は、携帯型オシロスコープ（ＺＲ−ＭＤＲ１０、ＯＭＲＯＮ社）を使用して行い、サンプリングレートは２００Ｈｚとした。
【００１５】
図２に示すように、荷重の大きさが約４０ｇ以下の場合には、いずれの巻糸についても、荷重の増加に伴い抵抗値は大きく低下していることから、巻糸に作用する張力と抵抗値の間に相関関係を有することがわかる。これに対し、荷重の大きさが４０ｇより大きくなると、いずれの巻糸も抵抗値はほとんど変化していないため、抵抗値を測定しても荷重の大きさが一意的に定まらない。
【００１６】
図４は、巻糸に作用する荷重と巻糸の伸び率の関係を、一例として示す図である。伸び率は、巻糸の自然長を１００％としたときの値で示している。荷重と抵抗値との間に良好な相関を有する荷重が４０ｇ以下の条件は、図４に示すように、１％以下の微小な伸び率に相当するため、この巻糸をそのまま電極として用いる場合には、呼吸などの体動により検出可能な生体信号を的確に抽出することが困難である。
【００１７】
これに対し、本実施形態の感圧導電糸１は、上記の性質を有する巻糸４，６を、弾性糸からなる芯糸２に巻き付けて構成しているため、体動により感圧導電糸１に大きな張力が作用して芯糸２の伸びが大きくなった場合でも、これに巻き付けられた巻糸４，６の伸びを相対的に抑制することができる。したがって、感圧導電糸１の全体の伸びを、巻糸４，６の微小変形として検出することが可能であり、呼吸などの体動に伴う生体信号を精度良く検出することができる。
【００１８】
図５は、本実施形態の感圧導電糸１について、伸び率と抵抗値の関係を一例として示す図である。感圧導電糸１の初期長さは１００ｍｍとし、伸び率は２０％まで４％ずつ計測した。抵抗値の測定方法は、上述した巻糸単体の場合と同様であり、１本の感圧導電糸１に対して３回の試行を行った。図５に示すように、伸び率が２０％に至るまで抵抗値は継続的に変化しており、図２及び図４に示す巻糸単体の結果と比較して、より大きな伸び率の変化を抵抗値変化として検出可能であることがわかる。
【００１９】
本実施形態の感圧導電糸１は、巻き方向が互いに逆方向である２重の巻糸４，６を芯糸２に巻き付けて構成されているため、トルクの相殺による糸の安定化が得られるとともに、巻糸４，６同士の接点密度の変化も得られることから、単一（１重）の巻糸を使用する場合に比べて感度が向上する。但し、芯糸に巻き付ける巻糸は、単一のものであってもよく、この場合も芯糸に対する巻糸の伸びを抑制して、体動に伴う生体信号の検出を行うことができる。
【００２０】
また、芯糸２に伸縮性を持つ素材を使用したカバリング構造にすることにより、芯糸２が安定した伸縮性を担うのでヒステリシスが低減されると共に、巻糸４，６は全体の変形に対し十分な長さが得られる。これにより、巻糸４，６を安定した変形の範囲で使用することができるため、芯材２を備えずに巻糸４，６のみで使用する場合に比べて、安定した検出が可能となる。
【００２１】
＜生体情報測定用被服＞
上述した感圧導電糸１は、織物や編物とすることにより、面状の電極を形成することができ、この電極を被服に縫い付ける等して装着することにより、生体情報測定用被服を構成することができる。
【００２２】
図６は、本発明の一実施形態に係る生体情報測定用被服の概略構成図である。図６に示す生体情報測定用被服１０は、心拍及び呼吸を同時に測定するためのものであり、被服本体１２の内側に、２つの関電極１４，１６およびＧＮＤ電極（基準電極）１８を設けて構成されている。被服本体１２は、柔軟性の高いポリウレタンなどの非導電性材料からなるＴシャツであり、取り付けられた各電極１４，１６，１８が身体に密着し易いように、ある程度の伸縮性を有するものを好ましく用いることができる。
【００２３】
関電極１４，１６は、心電図の誘導法である双極誘導の第２誘導に従い右鎖骨部、左肋骨弓下部にそれぞれ配置され、ＧＮＤ電極１８は、左鎖骨部に配置されている。右鎖骨部に配置される関電極１４，左肋骨弓下部に配置される関電極１６，及びＧＮＤ電極１８は、いずれも図１に示す感圧導電糸１の織物からなり、これらは被服本体１２に対して縫い付けなどにより固定されている。関電極１４，１６の大きさは、例えば６０×３０（ｍｍ）程度である。
【００２４】
商用電源に由来するノイズの影響を軽減するため、被服本体１２の表面側の関電極１４，１６に相当する部分に、感圧導電糸１からなる編物などを設けて、シールドを形成してもよい。また、身体に対する関電極１４，１６及びＧＮＤ電極１８の密着をより確実にするため、関電極１４，１６及びＧＮＤ電極１８と被服本体１２との間に、ウレタンフォームなどの弾性体を挿入してもよい。但し、上記のシールドや弾性体は本発明において必須のものではない。
【００２５】
図６に示す生体情報測定用被服１０を被験者が実際に装着して、ＧＮＤ電極１８を基準とする２つの関電極１４，１６の電位差である出力電圧を計測した。ゲインを５１０倍とし、カットオフ周波数が０．０５Ｈｚの１次のＨＰＦ（ハイパスフィルタ）と、３０Ｈｚの４次のＬＰＦ（ローパスフィルタ）を使用した。この出力電圧の一例を、図７に示す。出力電圧の測定には、上記の携帯型オシロスコープ（ＺＲ−ＭＤＲ１０、ＯＭＲＯＮ社）を使用した。この出力電圧は、例えば腕時計状の情報処理装置に入力して、表示及び記憶させることも可能である。
【００２６】
図７に示す出力電圧は、心電図に基づく心拍信号が含まれると共に、呼吸による体幹の動きによって発生する呼吸信号も含まれている。すなわち、左肋骨弓下部の関電極１６の伸縮により巻糸４，６が微小変形を起こすと、右鎖骨部の関電極１４との差動で基線が揺らぐことになり、この情報を利用して呼吸を測定することができる。
【００２７】
本測定においては、出力電圧に対して、０．８ＨｚのＨＰＦをかけることにより心拍信号を抽出し、０．８ＨｚのＬＰＦをかけることにより呼吸信号を抽出した。分離された心拍信号及び呼吸信号を、それぞれ図８（ａ）及び図９（ａ）に示す。
【００２８】
これと同時に、心拍信号及び呼吸信号のリファレンス信号も併せて測定した。心拍のリファレンスにはディスポーザブル電極（Blue Sensor、Ambu社）を、呼吸のリファレンスには呼吸ピックアップ（ＡＰ−Ｃ０２２、フタミ・エム・イー社）をそれぞれ使用し、ポリメイト（ＡＰ１５２４、TECH社）により同時計測及び記録を行った。心拍リファレンス信号及び呼吸リファレンス信号を、それぞれ図８（ｂ）及び図９（ｂ）に示す。
【００２９】
図８（ａ）と（ｂ）、図９（ａ）と（ｂ）をそれぞれ比較すると、心拍信号及び呼吸信号の波形はいずれもリファレンス信号の波形と類似しており、本実施形態の生体情報測定用被服１０により、心拍信号及び呼吸信号を同時に計測可能であった。
【００３０】
本実施形態の生体情報測定用被服１０において、電極の配置や数は特に限定されるものではなく、筋電図や脳波など検出対象となる生体情報や測定原理に応じて、適宜変更可能である。また、電極が装着される被服本体１２も、Ｔシャツに限定されず、電極の位置に応じた衣服や装身具を適宜選択することができる。本実施形態では、電極の双方に本発明の感圧導電糸を使用しているが、一対の電極のうち体動により伸縮する側のみに感圧導電糸を使用することもできる。
【００３１】
本発明の生体情報測定用被服は、従来の電極による生体信号の測定に加えて、呼吸や肩関節の動き、体幹の傾き、満腹度、嚥下による首の動きなど、体動により検出可能な生体信号を同時に測定可能であることから、このような測定用途に特に適している。
【図面の簡単な説明】
【００３２】
【図１】本発明の一実施形態に係る感圧導電糸の概略構成図である。
【図２】巻糸に作用させる張力（荷重）と抵抗値の関係を一例として示す図である。
【図３】図２に示す測定に用いた計測回路の構成図である。
【図４】巻糸に作用する荷重と巻糸の伸び率の関係を一例として示す図である。
【図５】本実施形態の感圧導電糸について、伸び率と抵抗値の関係を一例として示す図である。
【図６】本発明の一実施形態に係る生体情報測定用被服の概略構成図である。
【図７】図６に示す生体情報測定用被服の出力電圧の波形の一例を示す図である。
【図８】（ａ）心拍信号の測定データの一例、及び（ｂ）心拍信号のリファレンス信号の一例を、それぞれ示す図である。
【図９】（ａ）呼吸信号の測定データの一例、及び（ｂ）呼吸信号のリファレンス信号の一例を、それぞれ示す図である。
【符号の説明】
【００３３】
１  感圧導電糸
２  芯糸
４，６  巻糸
１０  生体情報測定用被服
１２  被服本体
１４，１６  関電極
１８  ＧＮＤ電極
【図３】
2010099327.tif 000003
【図４】
2010099327.tif 000004
【図６】
2010099327.tif 000005
【図７】
2010099327.tif 000006
【図８】
2010099327.tif 000007
【図９】
2010099327.tif 000008
【図１】
2010099327.tif 000009
【図２】
2010099327.tif 000010
【図５】
2010099327.tif 000011